(57)【要約】    【構成】    雨水貯留・浸透システム（１０）は、本体（３４）などのプラスチック製要素部材で組み立てた雨水貯留・浸透槽（１２）を含み、この雨水貯留・浸透槽（１２）の上層階の列（Ｃ１）の最下流側のブロック（Ｂ０）に、有孔管（８２）を、それの管軸が雨水貯留・浸透槽（１２）の深さ方向に平行になるように、縦置きで設置する。有孔管（８２）の長さは雨水貯留・浸透槽（１２）の上層および下層を含む全深さに相当する以上の長さであり、雨水貯留・浸透槽（１２）内の雨水は、有孔管（８２）の管壁の孔（８４）を通って有孔管（８２）の管内に浸入するため、有孔管（８２）の管壁の内外で水位が同じになる。したがって、有孔管８２が水位計測管として機能する。    【効果】  有孔管（水位計測管）の管内で、雨水貯留・浸透槽の水位を計測することができるので、水位点検のために設置していた流出施設のマンホールを省略できる。【選択図】  図１８
2008208527.tif 000002
【特許請求の範囲】
【請求項１】
プラスチック製の要素部材を組み立てて構成した所定の深さの雨水貯留・浸透槽を地下に埋設し、その雨水貯留・浸透槽に流入施設から雨水を流入させる、雨水貯留・浸透システムであって、
一端が開放された水位計測管を、その管軸が前記雨水貯留・浸透槽の前記深さの方向に平行になるように、前記一端を上にして前記雨水貯留・浸透槽に設置した、雨水貯留・浸透システム。
【請求項２】
前記雨水貯留・浸透槽は、中間板によって前記深さの方向に複数層に仕切られ、前記水位計測管は前記中間板を貫通して前記複数層に亘って配置される、請求項１記載の雨水貯留・浸透システム。
【請求項３】
前記水位計測管の中に設けられるフロートをさらに備える、請求項１または２記載の雨水貯留・浸透システム。
【請求項４】
前記雨水貯留・浸透槽に取り付けられ、前記雨水貯留・浸透槽から雨水を流出させるためのオリフィス流出管をさらに備える、請求項１ないし３のいずれかに記載の雨水貯留・浸透システム。
【請求項５】
前記雨水貯留・浸透槽に取り付けられ、前記雨水貯留・浸透槽から雨水を流出させるためのオーバフロー管をさらに備える、請求項１ないし４のいずれかに記載の雨水貯留・浸透システム。
【請求項６】
前記水位計測管は、管壁に孔が形成された有孔管を含む、請求項１ないし５のいずれかに記載の雨水貯留・浸透システム。
【請求項７】
前記雨水貯留・浸透槽の天面から突出して設置され、かつ人が入れる点検口をさらに備える、請求項１ないし６のいずれかに記載の雨水貯留・浸透システム。
【請求項８】
前記雨水貯留・浸透槽は少なくとも２層に組み立てられ、
前記点検口は前記雨水貯留・浸透槽の上層階に人を導くように設けられ、さらに
前記点検口を通って前記上層階に降りた人が下層階に移動できる通路を備える、請求項７記載の雨水貯留・浸透システム。
【請求項９】
プラスチック製の要素部材を組み立てて構成した雨水貯留・浸透槽を地下に埋設し、その雨水貯留・浸透槽内に流入施設から雨水を流入させる、雨水貯留・浸透システムであって、
前記雨水貯留・浸透槽の天面から突出して設置され、かつ人が入れる点検口を備える、雨水貯留・浸透システム。
【請求項１０】
前記雨水貯留・浸透槽は少なくとも２層に組み立てられ、
前記点検口は前記雨水貯留・浸透槽の上層階に人を導くように設けられ、さらに
前記点検口を通って前記上層階に降りた人が下層階に移動できる通路を備える、請求項９記載の雨水貯留・浸透システム。
【請求項１１】
前記雨水貯留・浸透槽は、各層が、各々の列に複数の本体が一直線上に配列され、かつ各列が列間仕切り板で仕切られて並置されている複数の列を含み、
前記本体には人が通れる大きさの孔が形成されていて、さらに
前記各列を仕切る列間仕切り板に人が通れる大きさの窓を設けた、請求項９または１０記載の雨水貯留・浸透システム。
【請求項１２】
前記点検口の外周に設けたリブ構造物をさらに備え、
前記リブ構造物を土中で保持することによって前記点検口の下端を前記雨水貯留・浸透槽と非接触の状態で保持する、請求項９ないし１１のいずれかに記載の雨水貯留・浸透システム。
【発明の詳細な説明】
【技術分野】
【０００１】
この発明は雨水貯留・浸透システムに関し、特にたとえば、地下に設置した雨水貯留・浸透槽に雨水を集め、集水した雨水を一時的に貯留した後、雨水管渠や河川に放流する、あるいはそのまま、周辺の地中に緩やかに浸透させる、雨水貯留・浸透システムに関する。
【背景技術】
【０００２】
この種の雨水貯留・浸透システムに用いられ得る雨水貯留・浸透槽が、特許文献１などで公知である。上記特許文献１には従来のコンクリート製の貯留・浸透槽に代わって、軽量でしかも十分な機械的強度を有する、プラスチック製の貯留・浸透槽が開示されている。
【０００３】
さらに、このようなプラスチック製の貯留・浸透槽を利用する地下雨水貯留・浸透システムの一例が非特許文献１に示されている。
【特許文献１】特開２００３‐３４９７１号公報［E03F 1/00］
【非特許文献１】クボタシーアイ株式会社カタログＮｏ．Ｃ７２‐００（０５．６．５）０６．１．１０．ＩＮ．ＮＦ  「大型パネル雨水洞窟貯留浸透槽  RAIN望ケーブ」
【発明の開示】
【発明が解決しようとする課題】
【０００４】
特許文献１に図解されている雨水貯留・浸透システムでは、雨水貯留・浸透槽内の点検のための流出施設を必要としている。具体的には、その流出施設には、雨水貯留・浸透槽からの雨水を受けてオリフィス流出管から流出させるためのマンホールを設け、そのマンホールから雨水貯留・浸透槽や雨水貯留・浸透槽に貯留される雨水の水位、槽内の空気抜き、オーバフロー管などを点検するようにしている。このような流出施設は大掛かりな施設であるので、大きな設置場所を必要とするばかりでなく、システム全体の価格を押し上げる一因にもなっている。
【０００５】
それゆえに、この発明の主たる目的は、新規な、雨水貯留・浸透システムを提供することである。
【０００６】
この発明の他の目的は、より小型化しかつ安価にし得る、雨水貯留・浸透システムを提供することである。
【課題を解決するための手段】
【０００７】
請求項１の発明は、プラスチック製の要素部材を組み立てて構成した所定の深さの雨水貯留・浸透槽を地下に埋設し、その雨水貯留・浸透槽に流入施設から雨水を流入させる、雨水貯留・浸透システムであって、一端が開放された水位計測管を、その管軸が雨水貯留・浸透槽の深さの方向に平行になるように、一端を上にして雨水貯留・浸透槽に設置した、雨水貯留・浸透システムである。
【０００８】
請求項１の発明では、プラスチック製の要素部材、実施例で例示すれば、本体３４、上下板３８、側板４０、中間板４８などを用いて、雨水貯留・浸透槽（１２：実施例で相当する部分を例示する参照符号。以下同様。）を構成する。たとえば、その雨水貯留・浸透槽（１２）の下流側のブロック（Ｂ０）に、水位計測管（８２）を縦置きに設置する。雨水貯留・浸透槽（１２）内の雨水が水位計測管（８２）の管内（８８）に浸入するので、水位計測管の管内で、雨水貯留・浸透槽（１２）の水位を計測することができる。したがって、水位点検のために設置していた流出施設のマンホールを省略できる。
【０００９】
請求項２の発明は、請求項１の発明に従属し、雨水貯留・浸透槽は、中間板によって深さの方向に複数層に仕切られ、水位計測管は中間板を貫通して複数層に亘って配置される、雨水貯留・浸透システムである。
【００１０】
請求項２の発明では、水位計測管（８２）は、中間板（４８）の貫通孔に挿通されて、雨水貯留・浸透槽（１２）のすべての層での水位を計測できるようになっている。
【００１１】
請求項３の発明は、第１の発明または第２の発明に従属し、水位計測管の中に設けられるフロートをさらに備える、雨水貯留・浸透システムである。
【００１２】
請求項３の発明では、フロート（９０）を目視で確認することによって、一層容易に、水位の計測または点検が行える。
【００１３】
請求項４の発明は、請求項１−３の発明のいずれかに従属し、雨水貯留・浸透槽に取り付けられ、雨水貯留・浸透槽から雨水を流出させるためのオリフィス流出管をさらに備える、雨水貯留・浸透システムである。
【００１４】
請求項４の発明では、水位計測管（８２）で水位点検ができるので流出施設のマンホールを省略する場合に、オリフィス流出管（２８）を雨水貯留・浸透槽（１２）に直接取り付ける。
【００１５】
請求項５の発明は、請求項１−４の発明のいずれかに従属し、雨水貯留・浸透槽に取り付けられ、雨水貯留・浸透槽から雨水を流出させるためのオーバフロー管をさらに備える、雨水貯留・浸透システムである。
【００１６】
請求項５の発明では、水位計測管（８２）で水位点検ができるので流出施設のマンホールを省略する場合に、オーバフロー管（３０）を雨水貯留・浸透槽（１２）に直接取り付ける。
【００１７】
請求項６の発明は、請求項１−５の発明のいずれかに従属し、水位計測管は、管壁に孔が形成された有孔管を含む、雨水貯留・浸透システムである。
【００１８】
請求項６の発明では、水位計測管として有孔管を用いるので、雨水貯留・浸透槽内の雨水が管壁の孔からも水位計測管内に進入するため、水位計測管内の水位が雨水貯留・浸透槽内の水位を正確に反映するので、水位の計測が正確に行なえる。
【００１９】
請求項７の発明は、請求項１ないし６のいずれかの発明に従属し、雨水貯留・浸透槽の天面から突出して設置され、かつ人が入れる点検口をさらに備える、雨水貯留・浸透システムである。
【００２０】
請求項７の発明では、点検口（６４）は、その雨水貯留・浸透槽の天面から突出するように設けられる。したがって、点検口から雨水貯留・浸透槽内に人が進入することができる。
【００２１】
請求項８の発明は、請求項７の発明に従属し、雨水貯留・浸透槽は少なくとも２層に組み立てられ、点検口は雨水貯留・浸透槽の上層階に人を導くように設けられ、さらに点検口を通って上層階に降りた人が下層階に移動できる通路を備える、雨水貯留・浸透システムである。
【００２２】
請求項８の発明では、雨水貯留・浸透槽（１２）は少なくとも２層（Ｌ１，Ｌ２）として形成され、点検口（６４）は、それの上層階（Ｌ２）に人が降りられるように設置し、上層階（Ｌ２）と下層階（Ｌ１）との間に通路（７８）を設けているので、点検口から上層に降りた人はその通路を通って、下層にも進入することができる。
【００２３】
請求項９の発明は、プラスチック製の要素部材を組み立てて構成した雨水貯留・浸透槽を地下に埋設し、その雨水貯留・浸透槽内に流入施設から雨水を流入させる、雨水貯留・浸透システムであって、雨水貯留・浸透槽の天面から突出して設置され、かつ人が入れる点検口を備える、雨水貯留・浸透システムである。
【００２４】
請求項９の発明では、プラスチック製の要素部材、実施例で例示すれば、本体３４、上下板３８、側板４０、中間板４８などを用いて、雨水貯留・浸透槽（１２：実施例で相当する部分を例示する参照符号。以下同様。）を構成する。点検口（６４）は、その雨水貯留・浸透槽の天面から突出するように設けられる。したがって、点検口から雨水貯留・浸透槽内に人が進入することができる。
【００２５】
請求項１０の発明は、請求項９の発明に従属し、雨水貯留・浸透槽は少なくとも２層に組み立てられ、点検口は雨水貯留・浸透槽の上層階に人を導くように設けられ、さらに点検口を通って上層階に降りた人が下層階に移動できる通路を備える、雨水貯留・浸透システムである。
【００２６】
請求項１０の発明では、雨水貯留・浸透槽（１２）は少なくとも２層（Ｌ１，Ｌ２）として形成され、点検口（６４）は、それの上層階（Ｌ２）に人が降りられるように設置し、上層階（Ｌ２）と下層階（Ｌ１）との間に通路（７８）を設けているので、点検口から上層に降りた人はその通路を通って、下層にも進入することができる。
【００２７】
請求項１１の発明は、請求項９または１０の発明に従属し、雨水貯留・浸透槽は、各層が、各々の列に複数の本体が一直線上に配列され、かつ各列が列間仕切り板で仕切られて並置されている複数の列を含み、本体には人が通れる大きさの孔が形成されていて、さらに各列を仕切る列間仕切り板に人が通れる大きさの窓を設けた、雨水貯留・浸透システムである。
【００２８】
請求項１１の発明では、雨水貯留・浸透槽の上層および下層がともに、各々の列において複数の本体（３４）を一直線上に配列しているので、各列中においては、本体の孔（３８）を通って人が当該列中を前後に移動できる。しかも列間仕切り板の窓（８０）を通って人が列間を移動できるので、人は、各層のすべての領域に移動できる。
【００２９】
請求項１２の発明は、請求項９−１１の発明のいずれかに従属し、点検口の外周に設けられたリブ構造物をさらに備え、リブ構造物を土中で保持することによって点検口の下端を雨水貯留・浸透槽と非接触の状態で保持する、雨水貯留・浸透システム。
【００３０】
請求項１２の発明では、リブ構造物である保持リング（６８）が点検口（６４）に取り付けられ、その保持リングが点検口と人の体重とによる垂直荷重を土中に分散させることによってこの点検口を支持するので、点検口の下端を雨水貯留・浸透槽とは非接触の状態で支持できる。したがって、点検口の自重や人の体重が雨水貯留・浸透槽に掛かることがない。
【発明の効果】
【００３１】
この発明によれば、水位計測管の管内で、雨水貯留・浸透槽の水位を計測することができるので、水位点検などのために設置していた流出施設のマンホールを省略できる。そのため、この発明によれば、より小型化、低コスト化が可能な雨水貯留・浸透システムが得られる。
【００３２】
さらに、オリフィス流出管やオーバフロー管を雨水貯留・浸透槽に設けた場合には、その槽内でこれらの管の点検作業が行える。
【００３３】
また、点検口を雨水貯留・浸透槽の面内に設置するようにすれば、背景技術のように雨水貯留・浸透槽とは別の領域にマンホールを設置する必要がないので、雨水貯留・浸透の設置に必要な面積を小さくできる。
【００３４】
この発明の上述の目的，その他の目的，特徴および利点は、図面を参照して行う以下の実施例の詳細な説明から一層明らかとなろう。
【発明を実施するための最良の形態】
【００３５】
図１にこの発明の背景となる雨水貯留・浸透システム１０の一例が図解される。この雨水貯留・浸透システム１０は、地中に埋設された雨水貯留・浸透槽１２を含む。この雨水貯留・浸透槽１２は、詳細は図２‐図７を参照して後述するが、プラスチック製の要素部材を組み立てて構成したもので、従来のコンクリート製のものと同等またはそれ以上の強度や貯水容量（空隙率）を有し、しかも軽量化、低コスト化が可能である。以下、図１１以降の図面を参照して後述するこの発明の理解に必要な範囲で、このようなプラスチック製の雨水貯留・浸透システム１０について説明する。
【００３６】
雨水貯留・浸透槽１２の一方側端近傍に流入施設１４が、他方側端近傍に流出施設１６が付設される。雨水が流入施設１４から雨水貯留・浸透槽１２を通り、流出施設１６から流れ出るので、流入施設１４側を上流側、流出施設１６側を下流側と呼ぶこともできる。
【００３７】
流入施設１４は、マンホール１８を含み、このマンホール１８は周知のように地中に埋設されるが、それの上端は地表に臨まされ、そこから人の出入りを可能にしている。マンホール１８の上部には、たとえば道路脇の側溝や雨水暗渠などから集めた雨水を流し込む流入管２０が設けられ、その下部には、この雨水を雨水貯留・浸透槽１２に流し込む流入接続管２２が設けられる。なお、この図１では図示していないが、流入接続管２２の流入入り口にはごみ除去フィルタ５４（図８，１０）が設けられる。
【００３８】
流出施設１６にもマンホール２４が設置され、このマンホール２４の下部には、雨水貯留・浸透槽１２からの雨水をマンホール２４に導出する流出接続管２６が取り付けられ、それよりさらに下方のマンホール２４の下部にはオリフィス流出管２６が取り付けられる。オリフィス流出管２６は、雨水貯留・浸透槽１２からマンホール２４に導出した雨水を雨水管渠や合流式下水道管（図示せず）に放流するためのものであるが、放流量が急増しないようにするための流量制限オリフィスを有する。
【００３９】
マンホール２４の上部と雨水貯留・浸透槽１２との間に空気抜き管３０が設けられ、それより下方のマンホール２４の上部にはオーバフロー管３２が取り付けられる。このオーバフロー管３２は、雨水貯留・浸透槽１２をオーバフローした雨水を雨水管渠や合流式下水道管（図示せず）に放流する。
【００４０】
ここで、図１に示す雨水貯留・浸透槽１２について、各要素部材の一例を示す図２‐図６を参照して、詳細に説明する。ただし、このような要素部材を使った組み立て式の雨水貯留・浸透槽については、先に挙げた特許文献１に詳しく説明されているので、必要なら、この特許文献を参照されたい。
【００４１】
図２に示す要素部材は、本体（リブ板）３４であり、一例として、１０００×１０００ｍｍのほぼ正方形の板状体で構成され、その板状体の一面または両面に補強のために、板状体の厚み方向に高さを有するリブが形成される。そして、板状体の中心には、人が通れる程度の大きさ、たとえば、５００‐７００ｍｍの直径を有する孔３６が設けられる。この孔３６は、この本体３４を使って雨水貯留・浸透槽１２を形成したとき、点検等のために人が雨水貯留・浸透槽１２内を移動するための通路を確保すると同時に、本体中での雨水の流れを容易にさせるためのものである。
【００４２】
図３に示す要素部材は、上下板３８であり、図３（Ａ）がそれの内面を示し、図３（Ｂ）が外面を示す。この上下板３８は、図１に示す雨水貯留・浸透槽１２の底面および天面を形成するための板状体で、平面がほぼ長方形で、外縁に、隣接する上下板どうしを互いに結合して連続する１枚の板にするための嵌め合い用の凹凸３９が形成される。この上下板３８にも、補強のために厚み方向に高さを有するリブが内面に適宜形成される。さらに、特に図３（Ｂ）からよく分かるように、この上下板３８には、内面から外面まで貫通する複数の小孔が形成される。これら小孔は、雨水貯留・浸透槽１２から雨水を漏洩させる。ただし、図３（Ａ）では、図面の簡素化のために、これらの小さい貫通孔の図示を省略している。
【００４３】
図４に示す要素部材は側板４０である。この側板４０は、列間仕切り板として使用され得る。雨水貯留・浸透槽１２は、上流側から下流側に延びる一直線上に複数の本体３４を一列に配置するが、その１つの直線状配列を１列としたとき、複数の列を併置して構成することがある。その場合、隣接する列の本体間の仕切り板としてこの側板４０が利用されるのである。側板４０にも、補強のために厚み方向に高さを有するリブが適宜形成される。側板４０に形成されている窓４２は、雨水貯留・浸透槽１２を浸透槽として使用する場合に、隣接する列間での雨水の連通を容易にする作用を果たす。
【００４４】
図５に示す要素部材は鏡板４４である。この鏡板４４は、図７からよく分かるように、雨水貯留・浸透槽１２の前後方向（流入施設１４から流出施設１６への雨水の流れる方向）の最外側の側板として使用される。鏡板４４にも、補強のために厚み方向に高さを有するリブが適宜形成される。鏡板４４に形成されている窓４６も先の側板４０の窓４２と同じく、雨水貯留・浸透槽１２から雨水を漏洩させるための漏洩路として機能する。
【００４５】
図６に示す要素部材は、中間板４８であり、この中間板４８は、上述のように並置された複数の本体の列を全体として１つの層としたとき、図７に示すように複数の層を形成する際の層間の仕切り板として用いられるものである。この中間板４６には、隣接する中間板４８どうしを互いに連結して一連（１枚）の中間板とするために、それの外縁に嵌合用凹凸４９が形成される。中間板４８にも、補強のために厚み方向に高さを有するリブが内面に適宜形成される。なお、図示は省略したが、この中間板４８にも、図３（Ｂ）に示す上下板３８と同様の複数の小孔が形成されている。
【００４６】
図２‐図６に示す各要素部材３４，３８，４０，４４および４８を用いて、図７に示すような、たとえば、２層３列の雨水貯留・浸透槽１２が組み立てられる。つまり、図７に例示した雨水貯留・浸透槽１２では、１層あたり３つの列Ｃ１，Ｃ２およびＣ３（図９）を形成し、中間板４８を仕切りとして、上下に２つの層Ｌ１およびＬ２を積層している。
【００４７】
図７において、下層Ｌ１の真ん中の列（Ｃ１）の最前方には管接続板５０が嵌め込まれていて、この管接続板５０に、図１（および図８，図１０など）に示す流入接続管２２が接続される。そして、鏡板４４の窓４６（図５）には鏡窓板５２がそれぞれはめ込まれる。なお、ここで例示する雨水貯留・浸透槽１２では、それの最外側面には、側板４０と類似してはいるが窓のない外側板４１が用いられている。このようにして、３列（Ｃ１−Ｃ３）２層（Ｌ１−Ｌ２）の雨水貯留・浸透槽１２が、プラスチック製の要素部材３４，３８，４０，４４および４８を組み立てることによって、形成できる。
【００４８】
ただし、図７の例示では２層３列の雨水貯留・浸透槽１２を構成したが、雨水貯留・浸透槽１２の層数や列数は任意に設定できるとともに、このような雨水貯留・浸透槽１２を構成する各要素部材の上述の大きさや形状も単なる例示であり、それらは、必要に応じて、適宜変更され得る。
【００４９】
図７に示すようにして形成した雨水貯留・浸透槽１２を図８および図９に示すように地中に埋設し、その上流側に、流入施設１４を配置し、下流側に流出施設１６を配置する。ただし、図８においては、図面作成の便宜上、雨水貯留・浸透槽１２の各列に含まれるブロック（後述）の数、すなわち上流側から下流側へ向かう雨水貯留・浸透槽１２の長さを、図９と異なるように描いている点に留意されたい。また、このことが後に言及する図１０についても同様に適用されるということも予め指摘しておく。
【００５０】
図８に示す雨水貯留・浸透システム１０は、雨水の一時貯留および周囲への浸透の両方の機能を持つように意図されているため、雨水貯留・浸透槽１２の外周の下部部分が、保護シートでサンドイッチにされた遮水シート５６で覆われ、雨水貯留・浸透槽１２の外周の残りの部分が、透水シート５８で被覆される。遮水シート５６は、たとえば、底面から下層Ｌ１の側面の全部および上層Ｌ２の側面の高さ方向の下半分を覆うようにされ、透水シート５８は、上層Ｌ２の側面の上半分と天面全部とを覆う。したがって、この図８に例示する雨水貯留・浸透システム１０の雨水貯留・浸透槽１２には、定常的には、下層Ｌ１の全部と上層Ｌ２のほぼ半分の量の雨水を一時的に貯留することができる。
【００５１】
雨水は先に説明したように、流入施設１４の流入管２０からマンホール１８および流入接続管２２を経て雨水貯留・浸透槽１２に流入され、雨水貯留・浸透槽１２に一時的に貯留される。なお、図８に示すように、流入接続管２２のマンホール１８内にある入口にはごみ除去フィルタ５４が装着されているので、マンホール１８内に雨水とともに流入した落ち葉などのごみは、このごみ除去フィルタ５４によって阻止され、雨水貯留・浸透槽１２内には入らない。そして、雨水貯留・浸透槽１２に貯留された雨水は、透水シート５８を通して周囲に浸透されるとともに、必要なとき、流出施設１６の流出接続管２６からマンホール２４を経て、オリフィス流出管２８から雨水管渠や合流式下水道管（図示せず）に放流される。
【００５２】
なお、マンホール１８および２４や雨水貯留・浸透槽１２は、土中内において、それぞれ砕石基礎６２の上に設置され、周囲を埋め戻した土で覆われている。そして、マンホール１８および２４の上端開口は地表面６０に臨まされる。
【００５３】
図１０に示す雨水貯留・浸透システム１０は、図８のシステム１０が貯留・浸透システムであったのに対し、浸透システムであるという点で、図８のシステムと相違する。具体的には、図８の雨水貯留・浸透システム１０では、雨水貯留・浸透槽１２に一時貯留機能と浸透機能とを持たせるように、雨水貯留・浸透槽１２の下部を遮水シート５６で覆い、上部を透水シート５８で覆った。これに対して、図１０のシステム１０は、雨水浸透システムであり、雨水貯留・浸透槽１２は全表面（底面、天面、全側面）を透水シート５８だけで覆う。したがって、図１０に例示するシステム１０では、雨水貯留機能はない。
【００５４】
雨水貯留機能がないので、図１０の雨水浸透システム１０は、図８のシステムとは異なる流出施設１６を有する。つまり、図１０の雨水浸透システム１０では、図８の雨水貯留・浸透システム１０で用いていたオリフィス流出管２８を持たない。なぜなら、図１０のシステム１０では雨水貯留・浸透槽１２に雨水が貯留されることがないので、貯留した雨水を放流するという考え方もないからである。しかしながら、浸透量より流入量が多い場合には、一時的には、貯留の機能を果たしている。
【００５５】
ただし、「貯留・浸透」か「浸透だけ」かを区別する必要がないときには、この明細書では、両者を包含する意味で、雨水貯留・浸透システム１０または雨水貯留・浸透槽１２と呼ぶことにする。
【００５６】
以上で、プラスチック製の要素部材を組み立てた雨水貯留・浸透槽１２を利用するこの発明の背景技術としての雨水貯留・浸透システム１０を説明した。以下に、このような背景技術を前提にして、必要に応じてそれらを援用しながら、この発明の実施例または実施形態について説明する。
【００５７】
図１１‐図１４に示すこの発明の一実施例の雨水貯留・浸透システム１０は、以下の点で図８または図１０の雨水貯留・浸透システム１０と異なり、たとえば図３‐図６に示す各構成要素を用いてたとえば図７に示すように組み立てた雨水貯留・浸透槽１２を用いる点などにおいて、図８または図１０の雨水貯留・浸透システム１０と同様である。したがって、以下の説明では、上でした説明と重複する説明は省略する。
【００５８】
図８および／または図１０の雨水貯留・浸透システム１０では、雨水貯留・浸透槽１２の内部を点検するのに、たとえば、流入施設１４のマンホール１８または流出施設１６のマンホール２４から、流入接続管２２または流出接続管２６を経て、雨水貯留・浸透槽１２に入り込み、本体３４に形成されている孔３６を通路として、雨水貯留・浸透槽１２内を移動することができる。しかしながら、特に図８（図１０）から分かるように、背景技術の雨水貯留・浸透システム１０では、人が進入できるのは流入接続管２２または流出接続管２６が接続されている下層Ｌ１だけで、しかも、図９からよく分かるように、それら流入接続管２２または流出接続管２６が接続されている中央列Ｃ１だけに過ぎなかった。つまり、背景技術の雨水貯留・浸透システム１０では、雨水貯留・浸透槽１２の全部の領域を人が進入して点検できるものではなかった。したがって、メンテナンスに不都合が生じることがある。
【００５９】
そこで、図１１‐図１４に示すこの発明の一実施例の雨水貯留・浸透システム１０では、雨水貯留・浸透槽１２の全ての領域を点検できるようにする。具体的には、上層Ｌ２の一部の領域、たとえば中央列（図１２で「Ｃ１」で示す列）の最後段から２つ目のブロック（図１２で「Ｂ１」で示すブロック）に本来設置されるべき本体３４を除去し、そのブロックＢ１に、たとえば、プラスチック製の点検口６４を配置する。この点検口６４は、たとえば６００−７００φのサイズであり、それの内面には、普通のマンホールと同じように人が出入りするためのステップ６６が設けられる。点検口６４は、雨水貯留・浸透槽１２の天面から上では、図１２に示すような全円であるが、雨水貯留・浸透槽１２の天面から下では、つまり、雨水貯留・浸透槽１２の中では、図１３に示すように、半円である。つまり、雨水貯留・浸透槽１２の中では点検口６４の側壁の一部が除去されて、その側壁除去部分を通って人が点検口６４から出たり点検口６４へ入ったりできるようにされている。したがって、この実施例では、点検口６４の上端開口から降下した人は、雨水貯留・浸透槽１２の上層Ｌ２の該当ブロックＢ１へ進入することができる。
【００６０】
この点検口６４では、それの自重やそこに人が入ったときの人の体重が雨水貯留・浸透槽１２に掛かることがないように考慮されている。つまり、図１１からよく分かるように、点検口６４の下端と雨水貯留・浸透槽１２の中間板４８（および側板などの各要素部材）との間は「縁切り」されていて、両者は非接触の状態に保たれている。そして、そのような非接触の状態（宙吊りの状態）で点検口６４を保持するために、この実施例では、点検口６４の、雨水貯留・浸透槽１２より上の管状（全円）部分にたとえばプラスチック製または金属製などの保持リング６８を取り付け、この保持リング６８を埋め戻しの土圧（転圧）で保持するようにした。保持リング６８は、一例として、たとえば図１５に示す半割りの締付具７０を用いて点検口６４に取り付ける。このように、保持リング６８は、上下方向からの土圧を受け止める横向きのリブとなり、点検口６４を土中に保持するためのリブ構造物として機能するが、そのようにリブ構造物は点検口６４の外周に直接形成されてもよく、リブ構造物の具体的形状や構造は実施例に示したものに限られない。
【００６１】
まず、図１５に示す締付具７０のボルト・ナット７２を外すかルーズな状態にして、締付具７０を点検口６４の上部管外周に装着し、その後、締付具７０のボルト・ナット７２を締め付け、締付具７０を点検口６４の外周にしっかり取り付ける。そして、取り付けた締付具７０の上に保持リング６８を載せ、保持リング６８の上にさらに上側の締付具７０を上述と同様の要領で取り付ける。そうすることによって、点検口６４に強固に取り付けられた締付具７０で保持リング６８を挟持した状態となる。その状態で保持リング６８を土中に埋設すれば、土圧（転圧）によって、保持リング６８ひいては点検口６４を、雨水貯留・浸透槽１２とは非接触の状態で確実に保持することができる。なお、図示しないが、締付具７０の内周面を歯形状（鋸歯形状）にすれば、締付具７０の内面が点検口６４の外周面に食い込むため、締付具７０を点検口６４に一層しっかりと取り付けることができる。また、施工方法によっては、このような締付具７０を省略することも可能である。たとえば、点検口６４の上端開口の周縁に外向きに突出するフランジを一体的に形成しておき、そのフランジを土圧で保持するようにする施工方法などが考えられる。
【００６２】
なお、この点検口６４の上には、地表面６０の位置に、たとえば鋳鉄製の防護ハット７４を設け、この防護ハット７４を開けることによって、そこから点検口６４内に人が進入することができる。ただし、この防護ハット７４は、土中に埋めた支持台７６で支持しておけばよい。
【００６３】
図１１‐図１４の実施例では、さらに、点検口６４を配置したと同じ列Ｃ１（図１２）のどこかのブロック（図１３で「Ｂ２」で示すブロック）において、中間板４８に上下連絡用の孔７８を形成する。点検口６４を設置したブロックＢ１と同じように、そのブロックＢ２に本来設置すべき本体を除き、それによって、露出することになる中間板に孔７８を形成する。普通の中間板４８は図６に示すように幅が狭いので、この実施例では、たとえば図１６に示すような特製の中間板４８Ａを用いる。この中間板４８Ａはたとえば、図６に示す中間板４８を２枚連結した程度の面積を持つ。その面積は、１つのブロックＢ２をカバーできる広さであり、このような特製中間板４８Ａを該当するブロックＢ２の上層Ｌ２と下層Ｌ１との層間の仕切り板として設置する。中間板４８Ａは図１６に示すように、そのほぼ中央に、人が通り抜けできる程度の大きさ、たとえば、５００‐８００ｍｍの径の孔７８を有するので、その中間板４８Ａをそこに敷設することによって、ブロックＢ２に上層Ｌ２と下層Ｌ１とを人が行き来できる連絡用通路が形成される。
【００６４】
この実施例ではさらに、上層Ｌ２の同じ中央列Ｃ１においてこのブロックＢ２に隣接するブロックＢ３、およびブロックＢ３に隣接する他の列Ｃ２およびＣ３（図１２）のブロックＢ４およびＢ５（図１３）においても、本体３４は設置しない。したがって、それらのブロックＢ３、Ｂ２、Ｂ４およびＢ５にも人が進入できる。しかしながら、今までと同じ側板または列間仕切り板４０（図４）を使うと、ブロックＢ３からブロックＢ４および／またはＢ４に人が進入する方法がない。そこで、この実施例では、たとえば図１７に示す特製の側板または列間仕切り板４０Ａを用いる。
【００６５】
この側板４０Ａはサイズやその他の機能は図４に示す今までの側板４０と同じだが、その中央に大きな窓８０が形成されている点で、それらの側板４０と異なる。窓８０は、人が通り抜けできる程度の大きさ、たとえば、各辺が５００-７００ｍｍの矩形に形成される。ただし、同程度のサイズの円形窓であってよい。この特製の側板４０Ａを、図１３に示すように、上層Ｌ２の列Ｃ１のブロックＢ３と列Ｃ２のブロックＢ４および列Ｃ３のブロックＢ５とのそれぞれの間の仕切り板として用いることによって、それらのブロックＢ３とＢ４およびＢ５との間に、窓８０によって、通路が形成される。
【００６６】
なお、上層Ｌ２において、ブロックＢ１とブロックＢ３の間、およびブロックＢ３とブロックＢ２の間には、ブロック仕切り板として機能させるために、１枚だけ本体３４を設置しておく。したがって、ブロックＢ１からブロックＢ３へまたはその逆へ、ブロックＢ３からブロックＢ２へまたはその逆へ自由に移動することができる。
【００６７】
図１４を参照して、下層Ｌ１においては、上層Ｌ２と同じように、中央列Ｃ１のブロックＢ２には、本来設置すべき本体３４を設置しない。そして、中央列Ｃ１においてこのブロックＢ２に隣接するブロックＢ６、およびこのブロックＢ６と隣接する他の列Ｃ２およびＣ３（図１２）のブロックＢ７およびＢ８（図１４）においても、本体３４は設置しない。したがって、それらのブロックＢ６、Ｂ７およびＢ８にも人が進入できる。しかしながら、上層と同様にブロックＢ６からブロックＢ７および／またはＢ８に人が進入できるようにするために、それらの間に図１７に示す特製の側板または列間仕切り板４０Ａを用いる。ただし、下層Ｌ１において、ブロックＢ２とブロックＢ６の間には、ブロック仕切り板として機能させるために、１枚だけ本体３４を設置しておく。したがって、ブロックＢ２からブロックＢ６へまたはその逆へ自由に移動することができる。
【００６８】
上述の点検口６４を使って上層Ｌ２のブロックＢ１に下りた人は、図１３において、その上層Ｌ２のその列Ｃ１を形成する各本体３４の孔３６（図２）を通って、そのブロックＢ１から前後に移動できる。そして、ブロックＢ３に到達する。ブロックＢ３を挟む２つのブロックＢ４およびＢ５はそれぞれ、側板４０Ａの窓８０を通してブロックＢ３と連通しているので、ブロックＢ３に達した人は、その窓８０を通って、ブロックＢ４またはＢ５に進入することができる。つまり、点検口６４を使って上層Ｌ２のブロックＢ１に降りた人は、本体３４の孔３６で形成する通路および側板４０Ａの窓８０で形成する通路を通って、上層階Ｌ２の任意のブロックに移動することができる。つまり、上層階Ｌ２の全てのブロックまたは領域を移動して点検することができる。
【００６９】
また、ブロックＢ３に移動した人は、そのまま進んでブロックＢ２に移動できる。ブロックＢ２には上述のように上下板６８Ａが用いられているため、そのブロックＢ２に進入した人は、孔７８を通って、下層Ｌ１の同じブロックＢ２に降りることができる。先に説明したように、下層階Ｌ１のブロックＢ２に降りた人は、そのまま隣接ブロックＢ６に移動することができる。また、ブロックＢ６とブロックＢ７およびＢ８との間の仕切りについても、特製中間板４８Ａを用いているため、ブロックＢ６に進んだ人は、中間板４８Ａの窓８０を通って隣接するブロックＢ７および／またはＢ８に進むことができる。ブロックＢ７へ進んだ後は、人は、本体３４の孔３６を通って、同じ列Ｃ２の他のブロックへ自由に移動できる。同じように、ブロックＢ８へ進んだ後は、人は、本体３４の孔３６を通って、同じ列Ｃ３の他のブロックへ自由に移動できる。このようにして、上述のようにして上層Ｌ２のブロックＢ２に達した人は、中間板４８Ａの孔７８を通って、下層Ｌ１のブロックＢ２に降り、さらに、下層Ｌ１において、同じ列Ｃ１の他のブロック、さらには他の列Ｃ２およびＣ３の他のブロックに任意に移動または進入することができる。
【００７０】
つまり、この図１１および図１２に示す実施例によれば、中間板４８Ａの孔７８や側板４０Ａの窓８０を通して、人は、雨水貯留・浸透槽１２のすべてのブロックまたは領域に移動して点検できるので、背景技術の雨水貯留・浸透システムに比べて、雨水貯留・浸透槽１２全体のメンテナンスができるようになり、メンテナンスの作業性が向上し、作業効率が改善される。
【００７１】
しかも、特に図１２からよく分かるように、点検口６４を、雨水貯留・浸透槽１２の平面内に配置できるので、必要に応じて、点検口６４を増設して任意のブロックまたは領域に設置することができる。従来であれば、流入施設１４のマンホール１８か、流出施設１６のマンホール２４からかしか、雨水貯留・浸透槽１２内に進入できなかったので、雨水貯留・浸透槽１２の平面サイズが大きい場合には、点検のための移動距離が長くなり、メンテナンスする人に苦痛や危険を与えることになるが、この実施例によれば、点検口６４を増設して任意のブロックまたは領域に設置することができるので、移動距離を可及的短くし、メンテナンスの人に斯かる苦痛や危険を与えることがない。
【００７２】
さらに、背景技術では、点検のためのマンホールを雨水貯留・浸透槽とは別の領域に設置するので、雨水貯留・浸透システムの設置に必要な面積が大きくなるが、この実施例によれば、雨水貯留・浸透槽の面内に点検口を設置できるので、点検のためのマンホールを省略し、雨水貯留・浸透システムの設置に必要な面積を小さくすることができる。
【００７３】
なお、図１３および図１４を対比すると分かるように、上層Ｌ２で本体３４を設置しないブロックＢ１，Ｂ３，Ｂ２，Ｂ４およびＢ５は、１つのブロックＢ２を除いて、下層Ｌ１において本体３４を設置しないブロックＢ２，Ｂ６，Ｂ７およびＢ８とは異なる。そのように本体３４を設置しないブロックの上下層での重なりを可及的回避するようにした理由は、本体を設置しなければそのブロックは強度が低下する可能性があるので、上層と下層とで同じ位置のブロックの強度が弱くなることを避けるためである。つまり、この実施例によれば、いくつかのブロックに本体を設置しないことによる強度の低下を最小限に抑えることができる。
【００７４】
したがって、もし、本体を抜くことによる強度低下があまり大きくなければ、下層階Ｌ1においても、上層階Ｌ２と同じ位置のブロックＢ３，Ｂ４およびＢ５の本体３４を除去しておくとともに、それらの下層階ブロックＢ３，Ｂ４およびＢ５間の仕切り板にも、上層階と同じ特製の側板４０Ａを用いるようにしてもよい。この場合には、上層と下層との間の通路をブロックＢ３（図１３）に設置するようにしてもよい。そうすれば、上層および下層のいずにおいてもブロックＢ２に人が入れるように本体３４を除去しておく必要はない。
【００７５】
また、点検口６４は１個に限るものではなく、雨水貯留・浸透槽１２によって、必要なら、２個以上設置してもよい。
【００７６】
なお、上述の実施例では、２層３列を有する雨水貯留・浸透槽１２の場合について説明した。しかしながら、これらの層数や列数は前述のように任意に増減できる。もし、層数を増加する場合には、全ての層間を行き来できるように中間板４８Ａを用いればよく、列数を増加する場合には、全ての列間を行き来できるように側板４０Ａを用いればよい。そして、層数や列数を増加させたとき、必要なら、２以上の層間通路（中間板４８Ａの孔７８）や２組以上の列間通路（側板４０Ａの窓８０）を設けるようにしてもよい。
【００７７】
ただし、上で述べたように、点検口６４を設置したり、層間通路や列間通路を設けたりするブロックでは本体を除去する必要があるので、雨水貯留・浸透槽１２の全体の強度を損なわないようにするために、本体を除去するブロックをバランスよく配置できる工夫が必要になるかもしれない。
【００７８】
上述の実施例のように、雨水貯留・浸透槽１２の面内に人が通れる点検口すなわち点検口６４を設けた実施例において、説明は省略したが、図８や図１０に示す流出施設１６が設けられる。
【００７９】
ただし、上述の実施例のように雨水貯留・浸透槽１２の面内に人が通れる点検口６４を配置する場合には、雨水貯留・浸透槽１２の点検はこの点検口６４から進入して点検できるので、点検口を兼ねた流出施設１６のマンホール２４を省略することができる。この場合の実施例を図１８および図１９に示す。
【００８０】
図１８および図１９を参照して、この実施例の雨水貯留・浸透システム１０では、２層３列の雨水貯留・浸透槽１２の中央列Ｃ１（図１９）の最も下流側のブロックＢ０に、雨水貯留・浸透槽１２の全深さ以上の長さを有する、水位計測管の具体例の１つである有孔管８２を、前後の本体３４で挟んで、それの管軸が雨水貯留・浸透槽１２の深さ方向に平行になるように、縦置きに配置する。換言すれば、有孔管８２は、それの管軸が雨水貯留・浸透槽１２の流水方向（流入側から流出側へ向かう）に直交する方向に配置される。このとき、このブロックＢ０の上層Ｌ２と下層Ｌ１とを仕切る中間板にはこの有孔管８２が挿通できる貫通孔（図示せず）を穿設しておく必要がある。
【００８１】
２つの本体３４のいわゆる「壁芯」間距離が２５０ｍｍ程度であるとすると、本体３４間の間隔はおよそ１９０ｍｍ程度となり、たとえば、１５０φの有孔管８２はその２つの本体３４間にちょうど収まる。この有孔管８２は、上下端が開放されているか、少なくとも上端が開放されている。有孔管８２の開放上端が、水位点検口となる。
【００８２】
有孔管８２は、管壁に多数の孔８４を形成した管であり、したがって、有孔管８２の管壁の内外はそれらの孔８４を通して連通される。
【００８３】
雨水貯留・浸透槽１２内において、それに流入した雨水に有孔管８２の管壁外面が浸されると、孔８４によってその外部と連通する管内８５（図１９）にもその雨水が浸入し、管内の水位は管外の雨水貯留・浸透槽１２の水位をそのまま反映したものとなる。この管内水位は有孔管８２の下端が閉塞されているか開放されているかには影響を受けないが、上端は開放されているので、有孔管８２の開放上端から目視し、もしくは水位計測棒を挿入することによって、雨水貯留・浸透槽１２の水位を計測することができ。したがって、有孔管８２の上端が水位点検口として機能するのである。
【００８４】
なお、この有孔管８２による水位点検を一層容易にするために、図１８で点線で示すように、有孔管８２の管内にフロート８６を浮かべるようにしてもよい。フロート８６を用いれば、いちいち水位計測棒を挿入しなくても、有孔管８２内すなわち雨水貯留・浸透槽１２内の水位を簡単に目視で点検することができる。
【００８５】
上述のように有孔管８２を配置すれば、水位点検または水位計測はこの有孔管８２でできるので、マンホール２４（図８、図１０）を省略できる。ただし、実施例では、水位計測管として有孔管８２を用いたので、雨水貯留・浸透槽１２内の雨水が有孔管８２の壁面に開けられた孔を通して速やかに有孔管８２内に進入してくるので、有孔管８２内の水位が雨水貯留・浸透槽１２内の水位を正確に反映したものとなり、したがって、雨水貯留・浸透槽１２内の水位計測を正確に行える。
【００８６】
水位計測管としては、実施例の有孔管８２の他に、水位計測管の下端と雨水貯留・浸透槽の底板との間に隙間があれば、壁面に孔のない管を用いてもよい。この場合でも、その水位計測管内には管の下方開口から雨水貯留・浸透槽１２内の雨水が進入してくるので、壁面に孔がなくても、水位計測管内の水位は雨水貯留・浸透槽１２内の水位を反映した水位となる。
【００８７】
マンホール２４を省略すると、それに従来接続されていたオリフィス流出管２８を取り付ける場所がなくなる。そこで、この実施例では、雨水貯留・浸透槽１２の下層Ｌ１のブロックＢ０の最後面を規定する鏡板４４（図５）に同様のオリフィス流出管２８を取り付け、雨水貯留・浸透槽１２から雨水を直接放流できるようにすればよい。この場合、従来マンホール２４と雨水貯留・浸透槽１２とを連絡するための流出接続管２６（図８、図１０）もまたは２４と併せて省略でき、コストダウンにつながるという利点がある。
【００８８】
先の背景技術ではマンホール２４からオーバフロー管３２を雨水管渠または合流式下水道管（図示せず）に接続したが、マンホール２４を用いない実施例においては、図１８に示すように、雨水貯留・浸透槽１２のそのブロックＢ０の天面を構成する上下板３８を通して、オーバフロー管３２Ａを引き出し、そのオーバフロー管３２Ａの先端を雨水管渠または合流式下水道管に臨ませるようにする。
【００８９】
この実施例では、オーバフロー管３２Ａは、たとえば、チーズ継手８８の１つの接続口８８ａを上記上下板３８を挿通して雨水貯留・浸透槽１２の天面の直下に臨ませ、それと反対の接続口８８ｂを開放し、別の接続口８８ｃにオーバフロー管３２を接続することによって、雨水貯留・浸透槽１２から直接配管する。したがって、雨水貯留・浸透槽１２の槽内の雨水が増水してオーバフロー状態になった場合、そのオーバフローした雨水は、チーズ継手８８の接続口８８ａから接続口８８ｃを経てオーバフロー管３２に流れ、そこから雨水管渠または合流式下水道管に流れ出す。
【００９０】
なお、このオーバフロー管３２Ａは背景技術における空気抜き管３０の機能も兼ねることになる。つまり、雨水貯留・浸透槽１２の槽内の空気（ガスを含む）は、チーズ継手８８を経てオーバフロー管３２に流出し、そこから雨水管渠または合流式下水道管に送られる。
【００９１】
チーズ継手８８の接続口８８ｂは、そこからオーバフロー管３２を点検できる、点検口として機能し得る。したがって、この接続口８８ｂはいつもはキャップ９０で閉塞しておき、必要に応じて、キャップ９０を外して点検するようにすればよい。
【００９２】
なお、これら有孔管８２などの上には、地表面６０の位置に、たとえば鋳鉄製の防護ハット９２を設け、この防護ハット９２を開けることによって、有孔管８２やチーズ継手８８を点検することができる。ただし、この防護ハット９２は、土中に埋めた支持台９４で支持しておけばよい。
【００９３】
オーバフロー管３２は、チーズ継手を介して有孔管８２の上端に接続してもよい。
【００９４】
なお、図１８および図１９に示す実施例は、点検口６４を設けず、背景技術と同じように流入施設１４のマンホール１８から槽１２内の点検をする場合にも、適用することができる。この場合の実施例を図２０および図２１に示す。ただし、図２０および図２１に示す実施例は、図１８および図１９に示す実施例から図１１および図１２に示す実施例を省略しただけであるので、ここでは、重複する説明は省略する。
【図面の簡単な説明】
【００９５】
【図１】図１はこの発明の背景となる雨水貯留・浸透システムの一例を示す図解図である。
【図２】図２は図１に示す雨水貯留・浸透槽に用いる要素部材としての本体の一例を示す図解図である。
【図３】図３は図１に示す雨水貯留・浸透槽に用いる要素部材としての上下板の一例を示す図解図であり、図３（Ａ）が内面を示し、図３（Ｂ）が外面を示す。
【図４】図４は図１に示す雨水貯留・浸透槽に用いる要素部材としての側板の一例を示す図解図である。
【図５】図５は図１に示す雨水貯留・浸透槽に用いる要素部材としての鏡板の一例を示す図解図である。
【図６】図６は図１に示す雨水貯留・浸透槽に用いる要素部材としての中間板の一例を示す図解図である。
【図７】図７は図２‐図６に示す要素部材を使って組み立てた雨水貯留・浸透槽の一例を示す図解図である。
【図８】図８は図７に示す雨水貯留・浸透槽を用いたこの発明の背景となる雨水貯留・浸透システムの一例の縦断面構造を示す図解図である。
【図９】図９は図８に示すこの発明の背景となる雨水貯留・透水システムの平面構造を示す図解図である。
【図１０】図１０は図７に示す雨水貯留・浸透槽を用いたこの発明の背景となる雨水貯留・浸透システムの他の例の縦断面構造を示す図解図である。
【図１１】図１１は図７に示す雨水貯留・浸透槽を用いた、この発明の雨水貯留・浸透システムの一実施例の縦断面構造を示す図解図である。
【図１２】図１２は図１１実施例の平面構造を示す図解図である。
【図１３】図１３は図１１実施例で天面を構成している上下板を除いた状態での上層の平面構造を示す図解図である。
【図１４】図１４は図１１実施例で上層と下層との間の中間板を除いた状態の下層の平面構造を示す図解図である。
【図１５】図１５は図１１実施例に用いられる締付具の一例を示す図解図である。
【図１６】図１６は図１１実施例に用いられる特製の中間板の一例を示す図解図である。
【図１７】図１７は図１１実施例に用いられる特製の側板の一例を示す図解図である。
【図１８】図１８は流出施設を省略した雨水貯留・浸透システムのこの発明の他の実施例の縦断面構造を示す図解図である。
【図１９】図１９は図１８実施例で図１３と同様の上層の平面構造を示す図解図である。
【図２０】図２０は流出施設を省略した雨水貯留・浸透システムのこの発明のさらに他の実施例の縦断面構造を示す図解図である。
【図２１】図２１は図２０実施例で図１３と同様の上層の平面構造を示す図解図である。
【符号の説明】
【００９６】
１０  …雨水貯留・浸透システム
１２  …雨水貯留・浸透槽
１４  …流入施設
１６  …流出施設
１８，２４  …点検口
２０  …流入管
２２  …流入接続管
２６  …流出接続管
２８  …オリフィス流出管
【図１】
2008208527.tif 000003
【図２】
2008208527.tif 000004
【図３】
2008208527.tif 000005
【図４】
2008208527.tif 000006
【図５】
2008208527.tif 000007
【図６】
2008208527.tif 000008
【図７】
2008208527.tif 000009
【図８】
2008208527.tif 000010
【図９】
2008208527.tif 000011
【図１０】
2008208527.tif 000012
【図１１】
2008208527.tif 000013
【図１２】
2008208527.tif 000014
【図１３】
2008208527.tif 000015
【図１４】
2008208527.tif 000016
【図１５】
2008208527.tif 000017
【図１６】
2008208527.tif 000018
【図１７】
2008208527.tif 000019
【図１８】
2008208527.tif 000020
【図１９】
2008208527.tif 000021
【図２０】
2008208527.tif 000022
【図２１】
2008208527.tif 000023